(57)【要約】【課題】複数の電子機器から指定した電子機器を選択的に制御することができるリモコン装置を提供する。【解決手段】リモコン装置は、複数の電子機器中から制御対象機器を送信する第１の指向性を持つ機器指定信号を送信する第１送信手段と、上記機器指定信号を受信して第１モードから第２モードに変更した制御対象機器を含む電子機器に、上記第１の指向性より広い指向性を持つ第２の指向性の機器制御信号を送信する第２送信手段とを備える。【選択図】図１
2008278023.tif 000002
【特許請求の範囲】
【請求項１】
複数の電子機器中から選択された少なくとも１つの制御対象電子機器に、第１の指向性を持つ機器指定信号を送信する第１送信手段と、
前記機器指定信号を受信して第１モードから第２モードに変更した前記制御対象電子機器を含む前記複数の電子機器に、前記第１の指向性より広い指向性を持つ第２の指向性の機器制御信号を送信する第２送信手段と
を備えることを特徴とするリモコン装置。
【請求項２】
リモコン装置から送信される機器指定信号を受信する第１受信部と、
リモコン装置から送信される電子機器を制御する機器制御信号を受信する第２受信部と、
前記第１受信部が前記機器指定信号を受信したとき、電子機器を第１モードから第２モードに変更するモード変更部と、
電子機器が第１モードにあるときと、第２モードにあるときでは、処理する前記機器制御信号の種類が異なる制御部と
を備えることを特徴とする電子機器。
【請求項３】
リモコン装置は、
複数の電子機器中から選択的に制御対象電子機器に第１の指向性を持つ機器指定信号を送信する第１送信手段と、
前記機器指定信号を受信して第１モードから第２モードに変更した前記制御対象電子機器を含む前記複数の電子機器に、前記第１の指向性より広い指向性を持つ第２の指向性の機器制御信号を送信する第２送信手段と
を備え、
電子機器は、
リモコン装置から送信される機器指定信号を受信する第１受信部と、
リモコン装置から送信される電子機器を制御する機器制御信号を受信する第２受信部と、
前記第１受信部が前記機器指定信号を受信したとき、電子機器を第１モードから第２モードに変更するモード変更部と、
電子機器が第１モードにあるときと、第２モードにあるときでは、処理する前記機器制御信号の種類が異なる制御部と
を備える
ことを特徴とするリモコンシステム。
【請求項４】
第１受信部と第２受信部をそれぞれ備える複数のディスプレイ装置をマトリックス状に配列したマルチスクリーン装置と、
前記複数のディスプレイ装置中から選択的に制御対象ディスプレイ装置に第１の指向性を持つ機器指定信号を送信する第１送信手段と、前記機器指定信号を受信して第１モードから第２モードに変更した前記制御対象ディスプレイ装置を含む前記マルチスクリーン装置に、前記第１の指向性より広い指向性を持つ第２の指向性の機器制御信号を送信する第２送信手段とを備えるリモコン装置と
を備えることを特徴とするリモコンシステム。
【発明の詳細な説明】
【技術分野】
【０００１】
本発明は、電子機器を制御・操作するリモコン装置及びこのリモコン装置によって制御される電子機器と、リモコン装置と電気機器の組合わせからなるリモコンシステムに関し、特に複数の電子機器から指定した制御対象電子機器を選択的に制御することができるリモコン装置に関する。
【背景技術】
【０００２】
街頭、駅、ホールや競技場などで、複数のディスプレイ装置を組み合わせた大型画面を構成するマルチスクリーン装置が用いられている。このようなマルチスクリーン装置は、複数のディスプレイ装置を組み合わせているために、各ディスプレイ装置の画面間の輝度ムラ及び色ムラが目立ちやすい。そのため各ディスプレイ装置の輝度ムラ及び色ムラの調整、白バランスの調整及びガンマ調整など画像調整を行う必要がある。しかも輝度ムラ及び色ムラは経時変化するので、そのたびに調整を行わなければならない。輝度ムラ及び色ムラなどの調整は、リモコン装置を使用して白バランスの調整及びガンマ調整など画像調整とともに行うことができるが、リモコン装置の送信信号は、指向性が広いため、１つのディスプレイ装置を選択することができず、隣接するディスプレイ装置も同時に調整されてしまう。
また、電気店のように、多種類のディスプレイ装置やテレビ受像機が並べられているような場所で、個々にディスプレイ装置やテレビ受像機を制御・操作する場合も１つのリモコン装置に複数のディスプレイ装置またはテレビ受像機が反応し、個別の制御・操作が困難であった。
【０００３】
マルチスクリーン装置を構成する各ディスプレイ装置の映像特性を調整する技術が特許文献１に開示されている。
特許文献１は、マルチスクリーン装置を構成する各ディスプレイ装置に固有の識別番号を設定し、各ディスプレイ装置を個別に映像特性を調整する場合は、識別番号によって特定のディスプレイ装置を選択して、選択されたディスプレイ装置に対して映像特性の調整信号を供給するものである。
また、特許文献２は、マルチスクリーン表示装置を構成する各ディスプレイ装置それぞれによって表示される映像信号を供給する技術に関し、マルチスクリーン表示装置を構成する各ディスプレイ装置に同一の映像信号を供給し、各ディスプレイ装置は供給された映像信号のうち自己が表示すべき部分を拡大して表示するものである。あるいは各ディスプレイ装置は供給された映像信号を拡大するとともに拡大した映像信号のうち自己が表示すべき部分を選択して表示するものである。そのためには、各ディスプレイ装置にマルチスクリーン表示装置を構成するディスプレイ数、及び全体映像のうち当該ディスプレイ装置の映像表示位置を設定する必要がある。
このような要求に対応するため、特許文献２は各ディスプレイにそれぞれ異なる識別番号を設定するとともに、リモコン装置に全てのディスプレイの識別番号を登録し、リモコンによって識別番号から所定のディスプレイを選択して、識別番号とともにコマンドを送信するものである。
【０００４】
一方、最近の各種電子機器、例えばテレビ受像機およびその周辺映像機器としてのビデオ、ＤＶＤ装置等のＡＶ機器、及びオーディオ機器、パソコン及びその周辺機器としてのプリンター、あるいはエアコンや照明装置は、リモコンによって操作できるようになっている。しかし、これらの機器はそれぞれリモコンを備えているので、ユーザは機器毎に異なるリモコンを使用しなければならない。これは、リモコンが比較的指向性の広い赤外光を使用するとともに、１つのリモコンで全ての機器を操作できるようにすると、操作対象の１つの機器が操作されるだけでなく、その周辺にある機器も操作されてしまうため、メーカごとに、機器ごとにリモコンコードを変えているためである。
このような問題に対して、特許文献３は、制御対象機器を特定する指向性信号として可視レーザー光を用い、機器制御用信号として赤外光を用いるリモコン装置を開示している。
【特許文献１】特開２００４−２１９８６９号公報
【特許文献２】特開２００３−３１９２９０号公報
【特許文献３】特開平１１−３１２００９号公報
【発明の開示】
【発明が解決しようとする課題】
【０００５】
しかしながら、特許文献１及び２は、予め各ディスプレイに識別番号を設定しなければならないので、煩雑である。また特許文献３は、制御対象機器を特定する指向性信号を受信したとき、待ち受け状態を維持する必要があるので、制御対象機器の制御が不安定になることがある。
【０００６】
本発明は、上記のような問題を解決するものであり、複数の電子機器から指定した電子機器を選択的に制御・操作することができるリモコン装置を提供するものである。また本発明はリモコンコードを特定することにより、リモコンロック、つまり特定コードでないリモコンの受信を受付けないようにすることができるリモコン装置を提供するものである。
【課題を解決するための手段】
【０００７】
本発明のリモコン装置は、上記課題を解決するために、複数の電子機器中から選択された少なくとも１つの制御対象電子機器に、第１の指向性を持つ機器指定信号を送信する第１送信手段と、前記機器指定信号を受信して第１モードから第２モードに変更した前記制御対象電子機器を含む前記複数の電子機器に、前記第１の指向性より広い指向性を持つ第２の指向性の機器制御信号を送信する第２送信手段とを備える。
これにより、複数の電子機器から選択された１つの電子機器を制御・操作することができる。
【０００８】
また、本発明のリモコン装置は実施形態において、前記機器制御信号は、特殊コードを含むことが好ましい。また前記特殊コードは、前記機器制御信号を構成するリモコンコードの特定ビットを変更させて生成することが好ましい。また前記第２モードは、制御対象電子機器が特殊コードを受信・解読することができるモードであることが好ましい。
これにより、確実に指定された電子機器を特定し、制御・操作することができる。
また、本発明のリモコン装置は実施形態において、前記特殊コードは、ユーザ固有のコードを設定することが好ましい。これにより、制御可能なユーザを特定することができ、リモコンロックすることができる。
【０００９】
また、本発明は、別の観点によれば、電子機器であって、リモコン装置から送信される機器指定信号を受信する第１受信部と、リモコン装置から送信される電子機器を制御する機器制御信号を受信する第２受信部と、前記第１受信部が前記機器指定信号を受信したとき、電子機器を第１モードから第２モードに変更するモード変更部と、電子機器が第１モードにあるときと、第２モードにあるときでは、処理する前記機器制御信号の種類が異なる制御部とを備え、上記課題を解決する。
【００１０】
更に、本発明は、別の観点によれば、上記課題を解決するリモコンシステムであって、リモコン装置は、複数の電子機器中から選択的に制御対象電子機器に第１の指向性を持つ機器指定信号を送信する第１送信手段と、前記機器指定信号を受信して第１モードから第２モードに変更した前記制御対象電子機器を含む前記電子機器に、前記第１の指向性より広い指向性を持つ第２の指向性の機器制御信号を送信する第２送信手段とを備え、電子機器は、リモコン装置から送信される機器指定信号を受信する第１受信部と、リモコン装置から送信される電子機器を制御する機器制御信号を受信する第２受信部と、前記第１受信部が前記機器指定信号を受信したとき、電子機器を第１モードから第２モードに変更するモード変更部と、電子機器が第１モードにあるときと、第２モードにあるときでは、処理する前記機器制御信号の種類が異なる制御部とを備える。
これにより、複数の電子機器から指定した電子機器を選択的に制御・操作するリモコンシステムが提供される。
【００１１】
更に、本発明のリモコンシステムは、実施形態において、第１受信部と第２受信部をそれぞれ備える複数のディスプレイ装置をマトリックス状に配列したマルチスクリーン装置と、前記複数のディスプレイ装置中から選択的に制御対象ディスプレイ装置に第１の指向性を持つ機器指定信号を送信する第１送信手段と、前記機器指定信号を受信して第１モードから第２モードに変更した前記制御対象ディスプレイ装置を含む前記マルチスクリーン装置に、前記第１の指向性より広い指向性を持つ第２の指向性の機器制御信号を送信する第２送信手段とを備えるリモコン装置とを備える。
これにより、マルチスクリーン装置の各ディスプレイ装置を個別に制御することができる。
【発明の効果】
【００１２】
本発明によれば、複数の電子機器から選択された１つの電子機器を制御・操作することができる。また制御可能なユーザを特定し、リモコン操作をロックすることができる。
【発明を実施するための最良の形態】
【００１３】
（実施形態１）
図１は、実施形態１の概略構成を説明する図である。実施形態１は、複数のディスプレイ装置をマトリックス状に配置して、大型画面を形成するマルチスクリーン装置と、このマルチスクリーン装置を制御・操作するリモコン装置からなるリモコンシステムである。
図１に示す実施形態は、９つのディスプレイ装置１ａ〜１ｉを３×３に配列してマルチスクリーン装置を形成している。実施形態１において、ディスプレイ装置１の数は２つ以上であり、縦一列、横一列あるいは斜め一列のように任意に配置してもよい。また各ディスプレイ装置の間隔は図１に示すように密接していてもよく、またリモコン装置の制御信号が受信できる範囲で間隔を開けてもよい。要するに、リモコン装置からの機器指定信号は隣接する機器の受信部によって同時に受信できないように配置し、機器制御信号は複数の機器の受信部が同時に受信できるように配置する。
実施形態１は、このマルチスクリーン装置に対して、１つのリモコン装置２を備え、任意の１つのディスプレイ装置を選択的に制御・操作する。
リモコン装置は、複数のディスプレイ装置中から選択された少なくとも１つの制御対象ディスプレイ装置に、第１の指向性を持つ機器指定信号を送信する第１送信手段と、前記機器指定信号を受信して第１モードから第２モードに変更した制御対象ディスプレイ装置を含む複数のディスプレイ装置に、前記第１の指向性より広い指向性を持つ第２の指向性の機器制御信号を送信する第２送信手段とを備える。
【００１４】
ここで、第１送信手段は、代表的には赤色レーザー発光素子が使用される。赤色レーザーは、可視光であり、かつ狭い指向性を持つので、ユーザが光到達面を視認できるとともに所望の制御対象機器に的確にレーザー光を照射できるので、都合がよい。赤色レーザー発光素子に代えて、可視光ＬＥＤ素子の前方にレンズを備え、レンズによって指向性を狭くしたものであってもよい。可視光ＬＥＤ素子の前方にレンズを備え、レンズを光軸方向に位置調整することにより、光の到達面において、隣接するディスプレイ装置を含まないように指向性を調整することができる。このように狭い指向性を有する光を使用すると、容易に希望する１つのディスプレイ装置に光を照射して選択することができる。光の指向性は、ディスプレイ装置の面積（より詳しくは、隣接する受信部の間隔によって決まる面積）と、リモコン装置からディスプレイ装置までの距離により変化させるとよい。
【００１５】
第２送信手段は、代表的には赤外線発光素子（ＬＥＤ）が使用される。第２送信手段は不可視光が使用されるので、赤外線に代えて電波を使用してもよい。ここで、第２の指向性が第１の指向性より広い指向性を持つとは、赤外線の到達面において、隣接するディスプレイ装置を含む指向性であるということを意味している。望ましくはマルチスクリーン装置を全部または２／３から半分含むとよい。このように広い指向性を有すると、第２送信手段を使用して機器を制御する場合、リモコン装置はマルチスクリーン装置の方に向ければよく、制御対象のディスプレイ装置に向ける必要がなくなる。従って指向性角度は、マルチスクリーン装置の面積と、リモコン装置からマルチスクリーン装置までの距離により変化する。
【００１６】
図２は、リモコン装置２の外観図を示す。図２に示すように、リモコン装置によって機器を制御・操作するためのキーを備える。キーはチャンネルスイッチ１１ａ、音量調整スイッチ１１ｂ、音声切り替えスイッチ１１ｃを備え、またメニュー画面の切り替えスイッチ１１ｄ、入力切り替えスイッチ１１e、上下左右に移動させるキー１２を備える。この他に、電源スイッチ、ミュートスイッチ、ＢＳスイッチなどを備えてもよい。
【００１７】
更に本発明の実施形態１では、図２（ｂ）に示すように、ディスプレイ装置を選択するための狭い指向性を有し、可視光を発光する第１の発光素子として、赤色レーザー発光素子１３と、広い指向性を有し、不可視光を発光する第２の発光素子として、赤外線発光素子１４を備える。
第１の発光素子は、赤色レーザー発光素子１３によって構成されるが、本発明のリモコン装置は、レーザー光を１つのディスプレイ装置、より詳しくはディスプレイ装置に備えられたレーザー受光素子を照射するので、レーザースポットが小さすぎる場合または大きすぎる場合がある。そのような場合に、スポットの大きさを調整できるレンズ１５を赤色レーザー素子の前方に備え、光軸方向に移動できるようにしておくとよい。また赤色レーザー発光素子１３に代えて、可視光ＬＥＤ素子を使用してもよい。この場合、可視光スポットがディスプレイ装置の到達面で、大きすぎる場合があるので、可視光スポットの大きさを調整するために、可視光ＬＥＤ素子の前方にレンズ１５を備え、レンズ１５を光軸方向に移動させるとよい。レンズ位置を調整するためにつまみ１６を備えるとよい。
【００１８】
リモコン装置２は、赤色レーザー発光素子１３と赤外線発光素子１４を切り替えて使用するので、赤色レーザー発光素子と赤外線発光素子の切り替えキー１７を備える。この切り替えキー１７は、プッシュスイッチまたはトグルスイッチが望ましい。赤外線発光素子１４を使用する場合は、赤外線を使用して、いわゆる通常のリモコンとして使用することができる。この場合は、マルチスクリーン装置を構成する各ディスプレイ装置全部に共通にリモコン信号が送信される。
また、本発明は選択されたディスプレイ装置のみが動作するように、リモコンコードに特殊コードの付与を指示するための特殊コードキー１８を備える。特殊コードキー１８については図６にて後述する。
【００１９】
図３は、リモコン装置のブロック図を示す。図２に示したリモコン装置２のいずれかのキーまたはスイッチ２１が操作されたとき、制御部２２はどのスイッチが操作されたか判別し、操作されたキーまたはスイッチ２１に対応するリモコンコード信号をメモリ２３から読み出して生成する。制御部２２は、特殊コードキー１８がオン状態にされたとき、リモコンコード信号に特殊コードを付与する特殊コード生成部２４を備える。リモコンコード信号は、可視光発光素子１３または赤外線発光素子１４に送られ、発光制御する。
【００２０】
図４は、マルチスクリーン装置を形成する１つのディスプレイ装置のブロック図を示し、このようなブロック図が各ディスプレイ装置に備えられている。
ディスプレイ装置は、リモコン装置から送信される機器指定信号を受信する第１受信部と、リモコン装置から送信される機器制御信号を受信する第２受信部と、前記第１受信部が前記機器指定信号を受信したとき、電子機器を第１モードから第２モードに変更するモード変更部と、電子機器が第２モードにあるとき、前記第２受信部で受信された機器制御信号によって電子機器を制御する制御部とを備える。
ここで、第１受信部は可視光受光素子３１であり、第２受信部は赤外線受光素子３２である。可視光受光素子３１及び赤外線受光素子３２の出力は、コネクタ３３を介してコントロール部３６に入力し、制御部内蔵スケーリングＬＳＩ３４によって、可視光受光素子３１または赤外線受光素子３２が受光したリモコンコードに対応する制御信号をフレームメモリ３５から読出し、読出した制御信号により液晶モジュール３７とバックライト３８からなるＬＣＤ３９を制御する。
【００２１】
制御部内蔵スケーリングＬＳＩ３４は受光時間計測部４０を有し、受光時間計測部４０は可視光受光素子３１が所定時間、例えば２秒以上可視光を受光したか否か判定し、所定時間以上受光したとき、第１モードから第２モードに変更するモード変更部４１を備える。このモード変更部４１によってディスプレイ装置は、通常モードから特殊キーコードの処理可能モ−ドに変更する。
また、制御部内蔵スケーリングＬＳＩ３４は所定時間以上受光してモード変更したことをユーザに知らせるため、ＬＣＤ３９によって、ＯＳＤ（on screen display）により受信モードを表示する。または受信表示ＬＥＤ（図示しない）を備え、この受信表示ＬＥＤを点灯させる。
そして、制御部内蔵スケーリングＬＳＩ３４は、特殊キーコードの処理可能モ−ドである第２モードとき、リモコン装置から特殊キーコードを含むリモコンコードを受信すると、フレームメモリ３５に予め記憶された情報と特殊キーコードを照合、確認し、リモコンコードに従って電子機器を制御・操作する制御・操作部４２を備える。
また制御部内蔵スケーリングＬＳＩ３４が特殊キーコードの処理可能モ−ドにあるとき、受光時間計測部４０が所定時間、例えば２秒以上受光したか否か判定し、所定時間以上受光すると、モード変更部４１は元の通常リモコン受信モ−ドに戻る。
【００２２】
次に、図１に示すように、マルチスクリーン装置１を構成するディスプレイ装置から１つのディスプレイ装置を選択して、その選択されたディスプレイ装置１ｅの輝度ムラまたは色ムラを，ユーザがリモコン装置２を使用して調整する場合をフローチャートに従って説明する。
図５は、リモコン装置の動作を説明するフローチャートを示す。ユーザがリモコン装置２を操作すると、リモコン装置２の動作がスタートし、まずステップＳ１では、レーザー色の設定があるか否か判定する。レーザー色の設定がある場合、ステップＳ２に進み、現在と異なる色のレーザーに設定する。つまり、設定された色のレーザー発光素子１３を使用するように設定を変更する。その後、ステップＳ１に戻る。
ステップＳ１で、レーザー色の設定がない場合、ステップＳ３に進み、リモコン装置のレーザー発光素子と赤外線発光素子の切り替えキー１７がレーザー発光素子側にあるか、赤外線発光素子側にあるか判定する。切り替えキー１７がレーザー発光素子側にある場合、ステップＳ４に進み、設定されたレーザー色を発光するレーザー発光素子を動作させ、このフローを終了する。
このようにして、レーザー発光素子１３が動作するので、ユーザはレーザー光を輝度ムラまたは色ムラを調整したいディスプレイ装置に照射する。これにより、複数のディスプレイ装置の中から制御対象のディスプレイ装置を選択する。
【００２３】
上記ステップＳ３では、切り替えキー１７が赤外線発光素子側にある場合、ステップＳ５に進む。即ち赤外線発光素子１４を動作させる処理に進む。ステップＳ５では、特殊コードキー１８とともに通常キーが押されているか判定する。両方のキーが押されていれば、特殊処理であるので、ステップＳ６に進み、特殊処理コードを生成する。
特殊処理コードの生成は、リモコンコード取得ステップＳ６−１と、リモコンコードの下位ビットに１を加算するステップＳ６−２とからなる。ステップＳ６−１のリモコンコード取得ステップは、リモコン装置のキーに対応するリモコンコードをメモリ２３から読み出し、そのリモコンコードを取得する処理である。次のステップＳ６−２は、上記のようにして取得した通常のリモコンコードに、下位に１を加算する処理である。
【００２４】
図６は、通常のリモコンコードに、下位ビットに１を加算して特殊処理コード付きリモコンコードを生成する処理を説明する図である。ここでは、リモコンコードが４８ビットあるとして、そのうちの上位４ビットと下位４ビットを示し、中間の４０ビットは省略している。上位４ビットは、例えばリモコン装置のキー１からキー９及びＡ〜Ｆのキーに対応して、メモリ２３から取得されたリモコンコードを生成する。このような上位４ビットに対して、下位４ビットに１を加算し、上位ビットと下位ビットを連続させて、特殊処理コード付きリモコンコードを生成する。
一方、下位ビットに１を加算しない場合は、通常処理コードであり、ユーザによって操作されたキーまたはスイッチに対応するリモコンコードをメモリ２３から読み出して生成する。
上記の特殊処理コードの生成は一例であり、リモコンコードによっては、上位ビットに１を加算して、特殊処理コードを生成してもよく、上位ビットと下位ビットの中間にある中位ビットに１を加算して特殊処理コードを生成してもよい。また加算する数値は１に限定する必要はなく、任意の数でよい。
【００２５】
上記のようにして生成された特殊処理コードにしたがって赤外線発光素子１４の発光を制御し、ステップＳ７で、特殊処理コードを含むリモコンコードを送信する。
この特殊処理コードを送信する場合に、リモコン装置によって、ディスプレイ装置を制御するためのメニュー画面が選択され、リモコン装置によって、白バランス調整またはガンマ調整のキー操作される。このキー操作に対応して、リモコンコードが読み出され、そのリモコンコードの下位ビットに１が加算されて、特殊処理コードが送信される。
【００２６】
上記ステップＳ５において、ＮＯであれば、通常処理であるので、ステップＳ８に進む。そして、ステップＳ８では、通常キーが押されたか否か判定する。つまりリモコン装置の通常キーのみがキー操作されたか否か判定する。キー操作がなければ、ステップＳ１に戻る。リモコン装置のキーが押されると、ステップＳ９で、キーに対応するリモコンコードがメモリ２３から読み出され、そのリモコンコードを取得し、そのリモコンコードにしたがって赤外線発光素子１５の発光を制御し、ステップＳ１０で、通常処理コードを送信する。
【００２７】
次に、ディスプレイ装置の動作を図７に示すフローチャートとともに説明する。
マルチスクリーン装置が起動されると（ステップＳ１１）、ステップＳ１２で、リモコン装置２よりレーザー光が照射され、当該ディスプレイ装置の可視光受光素子３１が指定色のレーザーを検出したか否か判定される。レーザーの色の判定は、可視光受光素子３１の前に指定した色フィルターを取り付けるとよい。指定色のレーザーを検出しない場合、ステップＳ１３に進み、ステップＳ１３で赤外線受光素子３２が赤外線を検出したか否か判定される。赤外線を受光しなければ、ステップＳ１２に戻り、レーザーの受光検出と赤外線の受光検出を継続する。赤外線を検出した場合は、ステップＳ１４で、通常のリモコン受信処理を実行する。つまり、受信した赤外線信号に含まれるリモコンコードに対応する制御信号をフレームメモリ３５から読み出して、その制御信号によりディスプレイ装置を制御し、このフローを終了する。
【００２８】
ステップＳ１２で、指定色のレーザーを検出した場合、ステップＳ１５に進み、ステップＳ１５で可視光受光素子３１が所定時間以上指定色のレーザーを検出したか否か判定する。これは偶然に照射されたレーザーによって誤動作しないようにするためであり、ユーザが意識的に当該ディスプレイ装置を指定したことを区別するために所定時間検出するものである。この実施形態では、例えば２秒以上であるが、２秒に限定するものではない。２秒以上レーザーを検出すると、ステップＳ１６に進み、モード変更部４１により第１モードから第２モードに変更する。つまり、当該ディスプレイ装置を特殊コード処理可能モードに変更する。このようにして、レーザーが所定時間以上照射されたディスプレイ装置だけが第２モードである特殊コードの処理可能状態となることができる。
この状態をユーザに知らせるため、図８に示すように、ＬＣＤ３０の画面上にＯＳＤ４４により第２モードであることを表示する。またはディスプレイ装置に備えたＬＥＤを点灯させて、表示する。
【００２９】
このように、第２モードの状態において、赤外線受光素子３２が赤外線を受光したか否か判定する（ステップＳ１７）。赤外線を受光した場合、ステップＳ１８に進み、ステップＳ１８で受光した赤外線信号に含まれるリモコンコードは、特殊コードを含むか否か判定する。特殊コードを含まない場合、ステップＳ１７に戻る。もし、リモコンコードの中に、特殊コードを含む場合、ステップＳ１９で、特殊コードの処理を実行する。
特殊コードの処理は、ステップＳ１６で、第２モードになっているディスプレイ装置だけが処理することができるので、レーザーによって指定された当該ディスプレイ装置だけが、リモコンコードにしたがってディスプレイ装置を制御・操作される。ここで、リモコンコードが、白バランス調整またはガンマ調整である場合は、そのリモコンコードに従い、ディスプレイ装置を白バランス調整またはガンマ調整する。勿論、その他のリモコン装置による制御・操作を行うことが可能である。
その後、ステップＳ１７に戻り、次の赤外線信号を待機する。
【００３０】
ステップＳ１７において、赤外線受光素子３２が赤外線を受光しない場合、ステップＳ２０で、可視光受光素子３１が指定色レーザーを受光したか否か判定する。指定色レーザーを受光しなければ、ステップＳ１７に戻る。しかし、指定色レーザーを受光した場合、ステップＳ２１に進み、可視光受光素子３１が所定時間以上検出したか否か判定する。所定時間以上検出する理由は上述の通りである。所定時間以上検出しなければ、ステップＳ１７に戻る。所定時間以上検出した場合は、ステップＳ２２で、第２モ−ドを解除して、このフローを終了する。
【００３１】
実施形態１は、リモコン装置によって、輝度ムラ、色ムラを調整する場合を説明したが、この他に、マルチスクリーン表示装置を構成する各ディスプレイ装置に同一の映像信号を供給し、各ディスプレイ装置は供給された映像信号のうち自己が表示すべき部分を拡大して表示したり、あるいは各ディスプレイ装置は供給された映像信号を拡大するとともに拡大した映像信号のうち自己が表示すべき部分を選択して表示したり、制御する場合にも利用することができる。
即ち、各ディスプレイ装置に同一の映像信号が供給される場合に、各ディスプレイ装置が表示すべき部分を本発明のリモコン装置によって設定する。あるいは供給された映像信号を拡大するとともに拡大した映像信号のうち自己が表示すべき部分を本発明のリモコン装置によって設定する。
【００３２】
上記の説明において、特殊コードは下位ビットに「１」を加算したが、これは通常のリモコンコードと、この発明によって選択された機器のみが動作するように付加したコードである。この特殊コードとして、ユーザ個人の固有コードを使用してもよい。このようにユーザ個人の固有コードを使用すると、当該個人以外のユーザはリモコン装置によって制御できないように設定することができる。従って、リモコン装置によって操作できる人を特定することができ、リモコン操作をロックすることができる。
【００３３】
以上の説明は、リモコン装置によって１つのディスプレイ装置を選択し、その選択された１つのディスプレイ装置を制御する場合であるが、マルチスクリーン装置を形成するディスプレイ装置の内、複数のディスプレイ装置を同時に制御したい場合、初めにリモコン装置のレーザー光によって制御をしたい複数のディスプレイ装置を選択し、第２モ−ドの状態にする。次にリモコン装置より赤外線によりマルチスクリーン装置へ制御信号を送信することにより、選択された複数のディスプレイ装置を同時に制御することができる。この場合に、複数のディスプレイ装置は、互いに隣接している必要はなく、赤外線を受光可能な範囲にあればよい。
【００３４】
また、本発明は、上記制御・操作とは逆に、リモコン装置によって選択されたディスプレイ装置を除き、選択されなかった複数のディスプレイ装置を制御・操作することも可能である。この場合は、マルチスクリーン装置を形成するディスプレイ装置の内、制御したくない１つまたは複数のディスプレイ装置にリモコン装置のレーザー光を照射し、これらを第２モードである特殊コード処理可能モ−ドの状態にする。次にリモコン装置の特殊コードキー１８を押さないで、即ち特殊コードを付加せずに赤外線をマルチスクリーン装置へ制御信号を送信することにより、通常のリモコンコードが送信されるので、第２モードになっていない、即ち第１モードのままの１つまたは複数のディスプレイ装置だけを同時に制御することができる。
【００３５】
（実施形態２）
実施形態２は、２つ以上の波長の異なるレーザー素子を用いる場合である。
実施形態１において、波長の異なる可視光レーザー発光素子、例えば赤色レーザーと、緑色レーザーをリモコン装置に備え、ディスプレイ装置に赤色受光素子と緑色受光素子を備える。そして、赤色レーザーを受信したディスプレイ装置は、赤外線に付加される特殊コードとして下位４ビットに例えば１を付加するよう設定する。また緑色レーザーを受信したディスプレイ装置は、赤外線に付加される特殊コードとして下位４ビットに例えば２を付加するよう設定する。このように構成することにより、赤色レーザーによって指定し、赤色レーザーによって指定されたディスプレイ装置だけが制御される場合と、緑色レーザーによって指定し、緑色レーザーによって指定されたディスプレイ装置だけが制御される場合のように、グループに分けることができる。例えば、奇数番目に配置されたディスプレイ装置と、偶数番目に配置されたディスプレイ装置のように分けることができる。これにより本発明の利用範囲を広げることができる。
またディスプレイ装置とビデオ装置やＤＶＤ装置が近接して配置され、ディスプレイ装置とビデオ装置やＤＶＤ装置を区別してレーザー照射できないような場合、ディスプレイ装置は赤色レーザーによって指定し、ビデオ装置やＤＶＤ装置は緑色レーザーによって指定するようにすることにより、ディスプレイ装置とビデオ装置やＤＶＤ装置が近接して配置し、しかも別々に制御することが可能になる。
【００３６】
実施形態２のフローチャートは、図９、図１０に示す通りである。
図９は、リモコン装置のフローチャートを示し、図５のフローチャートと異なるところは、ステップＳ３１、Ｓ３２が加わるところである。即ち、ステップＳ１において、第１レーザー色の設定がある場合に、ステップＳ３１に進み、ステップＳ３１で、第２レーザー色を変更するか否か判断され、レーザー色を変更する場合は、ステップＳ２に進む。
しかし、レーザー色を変更しない場合は、ステップＳ３２に進み、図５の操作とは異なる別のカテゴリーの制御が行われる。
図１０は、ディスプレイ装置のフローチャートを示し、図7のフローチャートと異なるところは、ステップＳ４１、Ｓ４２が加わるところである。即ち、ステップＳ１２において、指定色のレーザーを検出しない場合に、ステップＳ４１に進み、ステップＳ４１で、別の色のレーザーを検出したか否か判定する。別の色のレーザーを検出した場合、ステップＳ４２に進み、ステップＳ４２で別カテゴリーの処理を実行する。別色のレーザーを検出しない場合は、ステップＳ１３に進む。
ここで、別のカテゴリーとは、上記のように奇数番目のディスプレイ装置と偶数番目のディスプレイ装置である。またはディスプレイ装置やテレビ受像機とビデオやＤＶＤ装置、或いはエアコン、照明器具などの電気製品である。
【００３７】
（実施形態３）
実施形態３は、電気店のように、かつ多種類のディスプレイ装置、例えばテレビまたはパソコンが並べられている場合である。この場合も実施形態１と同様に構成することができる。即ち、リモコン装置は、複数のディスプレイ装置中から選択された少なくとも１つの制御対象ディスプレイ装置に、第１指向性を持つ機器指定信号を送信する第１送信手段と、前記機器指定信号を受信して第１モードから第２モードに変更した前記制御対象ディスプレイ装置を含む前記複数のディスプレイ装置に、前記第１の指向性より広い指向性を持つ第２の指向性の機器制御信号を送信する第２送信手段とを備える。
このリモコン装置に対して、ディスプレイ装置は、リモコン装置から送信される機器指定信号を受信する第１受信部と、リモコン装置から送信される機器制御信号を受信する第２受信部と、前記第１受信部が前記機器指定信号を受信したとき、ディスプレイ装置を第１モードから第２モードに変更するモード変更部と、ディスプレイ装置が第２モードにあるとき、前記第２受信部で受信された機器制御信号によってディスプレイ装置を制御する制御部とを備える。
このようなリモコン装置とディスプレイ装置は、図５、図７に示したフローチャートのように動作することにより、多数のディスプレイ装置の中から特定のディスプレイ装置を選択して、その選択したディスプレイ装置をリモコン装置によって操作することができる。
【００３８】
（実施形態４）
実施形態４は、例えばＴＶ機器およびその周辺映像機器としてのビデオ、ＤＶＤ装置等のＡＶ機器、及びオーディオ機器、パソコン及びその周辺機器としてのプリンター、エアコン、照明装置のように、メーカ、品種などが異なる多種類の製品がリモコン装置によって制御できる場合である。
このように、メーカ、品種が異なる場合もリモコン装置と機器を実施形態１と同様に構成することにより、選択した機器のみを制御することができる。
即ち、リモコン装置は、複数の電子機器装置中から選択された少なくとも１つの制御対象電子機器装置に、第１指向性を持つ機器指定信号を送信する第１送信手段と、前記機器指定信号を受信して第１モードから第２モードに変更した前記制御対象電子機器装置を含む前記複数の電子機器装置に、前記第１の指向性より広い指向性を持つ第２の指向性の機器制御信号を送信する第２送信手段とを備える。
このリモコン装置に対して、電子機器装置は、リモコン装置から送信される機器指定信号を受信する第１受信部と、リモコン装置から送信される機器制御信号を受信する第２受信部と、前記第１受信部が前記機器指定信号を受信したとき、電子機器装置を第１モードから第２モードに変更するモード変更部と、電子機器装置が第２モードにあるとき、前記第２受信部で受信された機器制御信号によってディスプレイ装置を制御する制御部とを備える。
このようなリモコン装置と電子機器装置は、図５、図７に示したフローチャートのように動作することにより、多数の電子機器装置の中から特定の電子機器装置を選択して、その選択した電子機器装置をリモコン装置によって操作することができる。
【図面の簡単な説明】
【００３９】
【図１】本発明の実施形態１の概略構成を説明する図を示す。
【図２】リモコン装置の外観図を示す。
【図３】リモコン装置のブロック図を示す。
【図４】マルチスクリーン装置を構成する１つのディスプレイ装置のブロック図を示す。
【図５】リモコン装置のフローチャート図を示す。
【図６】特殊処理コードを生成する処理を説明する図を示す。
【図７】ディスプレイ装置のフローチャート図を示す。
【図８】ＬＣＤにＯＳＤを表示する状態を説明する図を示す。
【図９】実施形態２のリモコン装置のフローチャート図を示す。
【図１０】実施形態２のディスプレイ装置のフローチャート図を示す。
【符号の説明】
【００４０】
１  ディスプレイ装置
２  リモコン装置
１３  レーザー発光素子
１４  赤外線発光素子
１７  赤色レーザー発光素子と赤外線発光素子の切り替えキー
１８  特殊コードキー
２２  制御部
２３  メモリ
３１  可視光受光素子
３２  赤外線受光素子
３５  フレームメモリ
３６  コントロール部
３９  ＬＣＤ
【図１】
2008278023.tif 000003
【図３】
2008278023.tif 000004
【図４】
2008278023.tif 000005
【図５】
2008278023.tif 000006
【図７】
2008278023.tif 000007
【図９】
2008278023.tif 000008
【図１０】
2008278023.tif 000009
【図２】
2008278023.tif 000010
【図６】
2008278023.tif 000011
【図８】
2008278023.tif 000012